(57)【要約】【課題】雑草の再生を困難にすること。【解決手段】支持体１２と、支持体１２に回転軸１６ａ周りに回転自在に支持された回転体２０と、回転体２０の外周部の略同一箇所から回転軸１６ａから遠ざかる方向に延出するように回転体２０に支持された複数のコード状部材３２を有する草土攪拌部３０と、回転体２０の上方で、かつ、回転体２０の回転に伴って回転する各コード状部材３２に当接可能な位置に配設されたカバー部材４０とを備えている。【選択図】図１
2008289373.tif 000002
【特許請求の範囲】
【請求項１】
支持体と、
前記支持体に回転軸周りに回転自在に支持された略円盤状の回転体と、
前記回転体の外周部の略同一箇所から前記回転軸から遠ざかる方向に延出するように前記回転体に支持された複数のコード状部材を有する草土攪拌部と、
前記回転体の一方面側で、かつ、前記回転体の回転に伴って回転する前記各コード状部材に当接可能な位置に配設されたカバー部材と、
を備えた対草土装置。
【請求項２】
請求項１記載の対草土装置であって、
前記回転体のうち少なくとも前記コード状部材を支持する部分が弾性材で形成された、対草土装置。
【請求項３】
請求項１又は請求項２記載の対草土装置であって、
前記カバー部材は、前記回転体の一方面側に配設される略円盤状のカバー本体部と、弾性材により形成され、前記カバー本体部の外周側から前記回転体側に傾斜する周囲カバー部と、を有する対草土装置。
【発明の詳細な説明】
【技術分野】
【０００１】
この発明は、地面とそこに生えた雑草とを攪拌する技術に関する。
【背景技術】
【０００２】
従来、地面に生えた雑草類を刈る装置としては、特許文献１に開示のものがある。
【０００３】
特許文献１では、ナイロンカッターコードを高速回転させることで、草刈を行う技術が開示されている。また、ナイロンカッターコードの上方に円盤状の防護カバーを設けることで、放射状に飛散する草が防護カバーよりも上方に飛散しないようにしている。
【０００４】
【特許文献１】特開２００４−８９１６９号公報
【発明の開示】
【発明が解決しようとする課題】
【０００５】
しかしながら、特許文献１に記載の草刈機では、ナイロンカッターコードは、地面より上方に突出する草部分を切断するだけである。このため、草の根或は根本部分は地面に残存してしまい、雑草が再生し易いという問題がある。
【０００６】
そこで、本発明は、雑草の再生を困難にすることを目的とする。
【課題を解決するための手段】
【０００７】
上記課題を解決するため、この対草土装置は、支持体と、前記支持体に回転軸周りに回転自在に支持された略円盤状の回転体と、前記回転体の外周部の略同一箇所から前記回転軸から遠ざかる方向に延出するように前記回転体に支持された複数のコード状部材を有する草土攪拌部と、前記回転体の一方面側で、かつ、前記回転体の回転に伴って回転する前記各コード状部材に当接可能な位置に配設されたカバー部材とを備えたものである。
【０００８】
この場合に、前記回転体のうち少なくとも前記コード状部材を支持する部分が弾性材で形成されていてもよい。
【０００９】
また、前記カバー部材は、前記回転体の一方面側に配設される略円盤状のカバー本体部と、弾性材により形成され、前記カバー本体部の外周側から前記回転体側に傾斜する周囲カバー部とを有していてもよい。
【発明の効果】
【００１０】
この対草土装置によると、複数のコード状部材が、回転体の外周部の略同一箇所から前記回転軸から遠ざかる方向に延出するように前記回転体に支持されているため、各コード状部材が相互干渉して回転軸の方向に比較的大きく揺れ動く。また、前記回転体の一方面側で、かつ、前記回転体の回転に伴って回転する前記各コード状部材に当接可能な位置にカバー部材が配設されているため、各コード状部材はカバー部材に当接することでも回転軸の方向に比較的大きく揺れ動く。従って、各コード状部材が地面及びそこに生えた草に比較的大きな力であたって、地面及び草を攪拌し、草の根や根本部分にもダメージを与える。これにより、雑草の再生を困難にすることができる。
【００１１】
また、前記回転体が弾性材で形成されていると、コード状部材と回転体とが擦れ合う部分でコード状部材の摩耗等を抑制してコード状部材を長寿命化することができる。
【００１２】
さらに、前記カバー部材は、前記回転体の一方面側に配設される略円盤状のカバー本体部と、弾性材により形成され、前記カバー本体部の外周側から前記回転体側に傾斜する周囲カバー部とを有していると、草土の飛散を防止できる。また、弾性材で形成された周囲カバー部によって当該周囲カバー部材が周囲の物体にあたった場合の衝撃を吸収することができる。
【発明を実施するための最良の形態】
【００１３】
以下、実施形態に係る対草土装置について説明する。図１は対草土装置を示す概略断面図であり、図２は対草土装置の要部を示す概略平面図である。
【００１４】
この対草土装置１０は、支持体１２と、回転体２０と、草土攪拌部３０と、カバー部材４０とを有している。
【００１５】
支持体１２は、回転体２０を回転自在に支持する部材であり、ここででは、長尺棒状部材の先端部を屈曲させた形状に形成されている。支持体１２の一端部である上端部には、エンジン又は電動モータ等の回転駆動源１４が取付けられており、支持体１２の他端部である下端部には回転駆動軸部１６が回転自在に取付けられている。そして、回転駆動源１４の回転駆動力が、支持体１２内に組込まれた回転伝達機構を介して回転駆動軸部１６に伝達されるようになっている。なお、この支持体１２の長手方向中間部には、作業者が本対草土装置１０を所定姿勢に支持するために掴む取っ手部（図示省略）が設けられている。このような支持体１２や回転駆動源１４、回転駆動軸部１６を含む構成自体については、一般的な草刈機に適用される構成を利用できる。
【００１６】
回転体２０は、全体形状略円盤状の部材であり、支持プレート２２と、回転体本体部２４とを有している。
【００１７】
支持プレート２２は、金属板等で略円板状に形成されており、その中央部に取付孔部２２ｈが形成されている。
【００１８】
また、回転体本体部２４は、ゴム等の弾性材で所定厚みを有する略円板状に形成されており、その中央部に略円孔状の中央孔部２４ｈが形成されている。本回転体本体部２４は、上記支持プレート２２の一主面側にネジ止等で固定されている。そして、回転駆動軸部１６を取付孔部２２ｈに挿入して回止状に固定することで、本回転体２０が、回転駆動軸部１６の中心軸と一致する回転軸１６ａ周りに回転自在に支持される。また、回転駆動源１４の回転駆動力が回転駆動軸部１６に伝達されることで、回転体２０が回転するようになっている。
【００１９】
また、回転体本体部２４には、その周方向に沿って２箇所で、２本のコード状部材３２を有する草土攪拌部３０がそれぞれ取付けられている。
【００２０】
１つの草土攪拌部３０に着目して具体的に説明すると、回転体本体部２４のうち回転軸１６ａを中心とする１８０゜回転対称位置に、コード保持孔２６が形成されている。各コード保持孔２６は、回転体本体部２４の内周側の中央孔部２４ｈから回転体本体部２４の外周側に貫通する２つの孔２６ａを有している。各孔２６ａは、中央孔部２４ｈ側でその周方向に沿って異なる位置で開口しており、回転体本体部２４の外周側で交わって同じ位置で開口している。つまり、コード保持孔２６は、全体として見ると、回転体本体部２４の外周側で折れる略Ｖ字孔状に形成されている。
【００２１】
また、コード状部材３２は、孔２６ａよりも長く、かつ、孔２６ａ内に挿入可能な線状に形成されている。このコード状部材３２は、例えば、ナイロン等の非金属線又は金属線等で形成されており、回転体本体部２４に支持された状態で回転軸１６ａ方向に撓うことができる程度の柔軟性を有している。
【００２２】
このコード状部材３２は、上記コード保持孔２６の２つの孔２６ａにそれぞれ挿入される。また、コード状部材３２のうち中央孔部２４ｈ側に突出する固定端部に止め具３３が固着されており、コード状部材３２の外周方向への抜止めが図られている。また、コード状部材３２の他方側の延出端部は、コード保持孔２６のうち回転体本体部２４の外周部の開口から引出され、前記回転軸１６ａから遠ざかる方向に延出している。これにより、２本のコード状部材３２が回転体２０の外周部の略同一箇所から延出するようにして当該回転体２０に支持されている。なお、コード状部材３２が回転体２０から延出する長さ寸法は特に限定されないが、後述するカバー本体部４２で覆われる範囲内で回転することが好ましい。
【００２３】
カバー部材４０は、上記回転体２０の一方面側（上方側）で、かつ、回転体２０の回転に伴って回転する各コード状部材３２に当接可能な位置に配設されている。
【００２４】
より具体的には、カバー部材４０は、カバー本体部４２と、周囲カバー部４４とを有している。カバー本体部４２は、上記コード状部材３２の回転移動軌跡を上方から覆う程度の広がりを有する略円板状部材であり、例えば、ステンレス板等の金属板で形成されている。このカバー本体部４２は、回転体２０から所定距離離れた位置で、前記回転軸１６ａと略直交する姿勢で、支持体１２の下端部に支持固定されている。
【００２５】
このカバー本体部４２の取付位置は、回転する各コード状部材３２に当接可能な位置である。図３を参照してより具体的に説明する。すなわち、本カバー部材４０を取付けない状態で、上記回転体２０及びコード状部材３２を地面に近接させて当該地面と略平行姿勢で回転させたとする。この場合、コード状部材３２は、地面と略水平な面から上下に撓いつつ回転する。また、コード状部材３２が地面に生えている草にあたると、上方に跳ね上がるようになる。従って、コード状部材３２が地面と略平行な面を基準にして上下に撓う範囲は、通常想定される使用姿勢で、コード状部材３２が地面にあたる下方範囲Ｈ１と、当該下方範囲よりも大きな範囲で上方に跳ね上がる上方範囲Ｈ２とであると想定される。そして、上記カバー本体部４２は、上記上方範囲Ｈ２と重なる位置に配設されている。つまり、通常想定される使用状態で、上方に揺動するコード状部材３２が当接する位置にカバー部材４０の内面が配設されるように、カバー部材４０が固定されている。例えば、回転体２０におけるコード状部材３２の支持部分から回転軸１６ａに沿って上方に１〜１．５ｃｍ程度上方の位置にカバー本体部４２の内面が位置するように固定される。これにより、上方範囲Ｈ２に跳ね上がったコード状部材３２がカバー本体部４２に当接することで、下方に向けてたたきつけられるように移動するようになっている。
【００２６】
また、周囲カバー部４４は、ゴム等の弾性材で形成されており、カバー本体部４２の外周側に設けられると共に、外周側に向けて回転体２０側に下向き傾斜する環状部材に形成されている。このような周囲カバー部４４は、例えば、廃タイヤの側面部分を略環状に切取って形成することができる。これにより、廃タイヤを再利用することができる。
【００２７】
このように構成された対草土装置では、図４に示すように、回転駆動源１４の回転駆動により回転体２０を回転させることで、２つのコード状部材３２を有する草土攪拌部３０がそれぞれ回転する。各草土攪拌部３０で２つのコード状部材３２が回転する際、当該２つのコード状部材３２は回転体２０の外周部で同一位置から引出されているため、相互に干渉しつつ回転し回転軸１６ａの方向に大きく上下に揺れ動く。また、回転体２０の一方面側である上方にカバー部材４０が設けられているため、コード状部材３２が草等にあたって又は両コード状部材３２の相互干渉により上方に跳ね上がると、カバー部材４０の内面に当接し、地面に向けてたたきつけられるように移動する。従って、コード状部材３２は、地面及びそこに生えた草に比較的大きな力であたり、地面及び草を攪拌し、草の根や根本部分にダメージを与える。これにより、雑草の再生を困難にすることができる。
【００２８】
また、回転体２０のうちコード状部材３２を支持する部分である回転体本体部２４が弾性材で形成されているため、コード状部材３２と回転体２０とが擦れ合う部分、特に、コード保持孔２６の出口側部分とコード状部材３２とが擦れ合う部分で、コード状部材３２の摩耗、傷の付着等を抑制して、コード状部材３２を長寿命化することができる。
【００２９】
なお、本効果は、回転体２０のうち少なくともコード状部材３２を支持する部分がゴム等の弾性材で形成されていれば、得ることができる。
【００３０】
もっとも、地面に接触する可能性がある下面部分をゴム等の弾性材で形成することで、回転体２０が地面の石等にあたった場合に加わる衝撃を吸収することができる。
【００３１】
また、カバー部材４０の周囲カバー部４４は、ゴム等の弾性材で形成されており、カバー本体部４２の外周側から回転体２０側に傾斜するように形成されているため、上記コード状部材３２で跳ね飛ばされた草土の飛散を有効に防止できる。また、弾性材で形成された周囲カバー部４４によって当該周囲カバー部材４４が周囲の物体にあたった場合の衝撃を吸収することができる。
【００３２】
｛変形例｝
なお、本実施形態では、各草土攪拌部３０が２本のコード状部材３２を有している例で説明したが、３本以上のコード状部材３２を有していてもよい。また、草土攪拌部３０が１箇所に設けられた構成であってもよく、また、３箇所以上に設けられていてもよい。
【００３３】
さらに、上記実施形態では、略Ｖ字状のコード保持孔２６で２本のコード状部材３２を保持しているが、その他の構成で支持してもよい。例えば、複数のコード状部材３２を直線状のコード保持孔で共通して保持してもよい。要するに、複数のコード状部材３２が回転体２０の外周部で略同一位置から延出される構成であればよい。
【図面の簡単な説明】
【００３４】
【図１】実施形態にかかる対草土装置を示す概略断面図である。
【図２】同上の対草土装置の要部を示す概略平面図である。
【図３】カバー部材４０を省略した状態でコード状部材の移動範囲を示す説明図である。
【図４】対草土装置の動作を説明するための図である。
【符号の説明】
【００３５】
１０  対草土装置
１２  支持体
１６ａ  回転軸
２０  回転体
２４  回転体本体部
２６  コード保持孔
３０  草土攪拌部
３２  コード状部材
４０  カバー部材
４２  カバー本体部
４４  周囲カバー部
【図１】
2008289373.tif 000003
【図２】
2008289373.tif 000004
【図３】
2008289373.tif 000005
【図４】
2008289373.tif 000006